(57)【特許請求の範囲】
【請求項１】
画像を表示する表示モニタを備えた撮像装置において、
レンズ部と、
前記撮像装置の前側上部に形成される前脚部と、
前記撮像装置の後側上部に形成される後脚部と、
前記前脚部と前記後脚部を連結する取手把持部と、
前記取手把持部よりも前方に形成されるものであって、前記表示モニタの表示面を対向させた状態で前記表示モニタを収納する台座部と、
前記台座部よりも前方に形成される突出部と、
前記突出部に固定されるものであって、第１の回動軸で前記表示モニタを回動させることによって、前記表示モニタを前記台座部から引き出されるとともに、前記表示モニタを前記台座部から引き出された状態で前記第１の回動軸となす角度が９０度となる第２の回動軸で前記表示モニタを回動させることによって前記表示モニタの表示面の向きを変化させるヒンジ部材と、
前記表示モニタの前記第１の回動軸における回動範囲を設定する回動範囲設定部材とを備え、
前記回動範囲設定部材は、前記第１の回動軸を中心として前記表示モニタを回動させた後、前記第２の回動軸で前記表示モニタを回動させて、前記表示モニタの表示面の向きをいかなる向きにしたとしても、前記表示モニタが前記レンズ部に入射する光束を遮ることがない範囲を、前記表示モニタの前記第１の回動軸における回動範囲として設定することを特徴とする撮像装置。
【請求項２】
前記ヒンジ部材の前記第２の回動軸は、前記表示モニタの短辺方向の中心線からオフセットした位置に設定され、前記表示モニタが前記台座部に収納されている状態から、前記表示モニタの短辺方向の中心線に対して前記第２の回動軸がオフセットしている方向に、前記表示モニタを前記第１の回動軸を中心として回動させた後、前記第２の回動軸で前記表示モニタを回動させて、前記表示モニタの表示面の向きをいかなる向きにしたとしても、前記表示モニタが前記レンズ部に入射する光束を遮ることがない位置を、前記表示モニタの前記第１の回動軸における回動範囲の一方端位置として設定することを特徴とする請求項１に記載の撮像装置。
【請求項３】
前記表示モニタが前記台座部に収納されている状態から、前記表示モニタの前記第１の回動軸における回動範囲の一方端位置までの回動角度と同じ回動角度となるように、前記表示モニタの前記第１の回動軸における回動範囲の他方端位置を設定することを特徴とする請求項２に記載の撮像装置。
【発明の詳細な説明】
【技術分野】
【０００１】
本発明は、画像を表示する表示モニタを備えた撮像装置に関する。
【背景技術】
【０００２】
近年、デジタルスチルカメラやビデオカメラ等の撮像装置においては、撮像中の画像を表示させる表示部を備えたものが普及している。
【０００３】
ビデオカメラ本体に設けられる取手の先端に表示部としての液晶ディスプレイを配置することが知られている。（特許文献１参照）
【先行技術文献】
【特許文献】
【０００４】
【特許文献１】特開２００５−２１０６７７号公報
【発明の概要】
【発明が解決しようとする課題】
【０００５】
近年、表示部が大型化してきたことによって、表示部は単に撮影者が撮影している画像を確認するだけではなく、撮影者以外のスタッフが画像を確認するためにも使用されるようになっている。
【０００６】
ところが、特許文献１に記載のものにおいては、表示部が撮像装置の左側にのみ開閉するものであるので、撮像装置の右側から表示部に表示されている画像を確認するのは難しいという問題があった。
【０００７】
本願出願人は、このような問題点に鑑みて、表示部を回動させるヒンジ部材を取手部の先端に配置し、取手部の左右両側に表示部を引き出すことのできる撮像装置を提案している。
【０００８】
しかしながらこの構成では、取手部の先端にヒンジ部材を配置したことで、表示部が撮影レンズの画角内に入り込んでしまうという問題をがある。
【０００９】
本発明はかかる点に鑑みてなされたものであり、取手部の先端にヒンジ部材を配置したとしても、表示部が撮影レンズの画角内に入り込まない撮像装置を提供することを目的とする。
【課題を解決するための手段】
【００１０】
本発明の撮像装置は、画像を表示する表示モニタを備えた撮像装置において、レンズ部と、前記撮像装置の前側上部に形成される前脚部と、前記撮像装置の後側上部に形成される後脚部と、前記前脚部と前記後脚部を連結する取手把持部と、前記取手把持部よりも前方に形成されるものであって、前記表示モニタの表示面を対向させた状態で前記表示モニタを収納する台座部と、前記台座部よりも前方に形成される突出部と、前記突出部に固定されるものであって、第１の回動軸で前記表示モニタを回動させることによって、前記表示モニタを前記台座部から引き出されるとともに、前記表示モニタを前記台座部から引き出された状態で前記第１の回動軸となす角度が９０度となる第２の回動軸で前記表示モニタを回動させることによって前記表示モニタの表示面の向きを変化させるヒンジ部材と、前記表示モニタの前記第１の回動軸における回動範囲を設定する回動範囲設定部材とを備え、前記回動範囲設定部材は、前記第１の回動軸を中心として前記表示モニタを回動させた後、前記第２の回動軸で前記表示モニタを回動させて、前記表示モニタの表示面の向きをいかなる向きにしたとしても、前記表示モニタが前記レンズ部に入射する光束を遮ることがない範囲を、前記表示モニタの前記第１の回動軸における回動範囲として設定することを特徴とする。
【発明の効果】
【００１１】
取手部の先端にヒンジ部材を配置したとしても、表示部が撮影レンズの画角内に入り込まない撮像装置を提供することができる。
【図面の簡単な説明】
【００１２】
【図１】ＬＣＤモニタ１０４を収納部に収納した状態のビデオカメラ１０１を説明する図である。
【図２】ＬＣＤモニタ１０４を収納部に収納した状態のビデオカメラ１０１を説明する図である。
【図３】ＬＣＤモニタ１０４をグリップ部２０３とは反対側に引き出したときの２軸ヒンジ３０１の状態を説明する図である。
【図４】ＬＣＤモニタ１０４をグリップ部２０３とは反対側に引き出した状態を説明する図である。
【図５】ＬＣＤモニタ１０４をグリップ部２０３とは反対側に引き出した状態を説明する図である。
【図６】ＬＣＤモニタ１０４をグリップ部２０３とは反対側に引き出した状態を説明する図である。
【図７】ＬＣＤモニタ１０４が図１および図２に示す収納状態となっているビデオカメラ１０１を上面から見た図である。
【図８】収納状態における２軸ヒンジ３０１の状態を示す図である。
【図９】表示モニタとしてのＬＣＤモニタ１０４をグリップ部２０３とは反対側に引き出した状態を説明する図である。
【図１０】表示モニタとしてのＬＣＤモニタ１０４をグリップ部２０３とは反対側に引き出した状態を説明する図である。
【図１１】図１０の状態における２軸ヒンジ３０１の状態を示す図である。
【図１２】表示モニタとしてのＬＣＤモニタ１０４をグリップ部２０３側に引き出した状態を説明する図である。
【図１３】表示モニタとしてのＬＣＤモニタ１０４をグリップ部２０３側に引き出した状態を説明する図である。
【図１４】図１３の状態における２軸ヒンジ３０１の状態を示す図である。
【発明を実施するための形態】
【００１３】
図１〜図１４は、撮像装置としてのビデオカメラ１０１を説明する図である。図１および図２はビデオカメラ１０１の外観を説明する図である。図３〜図６は画像を表示する表示モニタとしてのＬＣＤモニタ１０４をグリップ部２０３とは反対側に引き出した状態を説明する図である。図７はＬＣＤモニタ１０４が図１および図２に示す収納状態となっているビデオカメラ１０１を上面から見た図である。図８は収納状態における２軸ヒンジ３０１の状態を示す図である。図９および図１０は表示モニタとしてのＬＣＤモニタ１０４をグリップ部２０３とは反対側に引き出した状態を説明する図である。図１１は図１０の状態における２軸ヒンジ３０１の状態を示す図である。図１２および図１３は表示モニタとしてのＬＣＤモニタ１０４をグリップ部２０３側に引き出した状態を説明する図である。図１４は図１３の状態における２軸ヒンジ３０１の状態を示す図である。
【００１４】
ビデオカメラ１０１は、カメラ本体部１０２と、このカメラ本体部１０２の前面に突出するように取り付けられたレンズ部１０３から構成されている。レンズ部１０３先端には、レンズ部１０３に入射する不要な光を遮断するためのレンズフード１１０が着脱可能に装着されている。
【００１５】
カメラ本体部１０２の右側側面には、撮影者が把持するグリップ部２０３がカメラ本体部１０２に一体に設けられている。グリップ部２０３にはグリップベルトが配置され、撮影者はグリップ部２０３とグリップベルトとの間に手を入れて、グリップ部２０３を把持する。
【００１６】
カメラ本体部１０２の上部には、レンズ部１０３の光軸方向である前後方向に延びる取手部１０６が一体に設けられている。取手部１０６は、カメラ本体部１０２の前側上部に立設された前脚部１０７と、カメラ本体部１０２の後側上部に立設された後脚部１０８と、前脚部１０７と後脚部１０８を連結する取手把持部１０９から構成されている。後脚部１０８の上部であって、取手把持部１０９の後端部には、撮影者が接眼して被写体を確認する電子ビューファインダ１０５が回動可能に取り付けられている。電子ビューファインダ１０５にはアイカップ１１１が取り付けられ、図１および図２に示す状態から上方に略７０度回動させることができる。
【００１７】
また、図１および図２に示すように、取手部１０６の前方には、取手把持部１０９に連続して形成される台座部１１２と、この台座部１１２の先端に連続して形成される突出部１１３が設けられている。台座部１１２の表面にはビデオカメラ１０１を操作する複数の操作部材が配置され、台座部１１２の裏面には、ＬＣＤモニタ１０４を収納する収納部が形成されている。この状態では、ＬＣＤモニタ１０４の表示面４０１が台座部１１２の裏面に対向する状態となるので、表示面４０１は台座部１１２によって保護される状態となる。
【００１８】
台座部１１２の右側には、ガンマイクなどの外部マイクを保持するために配置された外部マイク保持部１１４が取付けられている。
【００１９】
突出部１１３は、前方及び左右側方に開口された中空状の部分からなり、その内部には図示しないマイクロホンが収納されている。突出部１１３の裏面は、ＬＣＤモニタ１０４を取手部１０６に対して回動可能に支持するヒンジ部材としての２軸ヒンジ３０１が取り付けられている。ヒンジカバー１１５は２軸ヒンジ３０１を覆うカバーである。
【００２０】
図３は、ＬＣＤモニタ１０４を図１および図２に示す収納状態からグリップ部２０３とは反対側に引き出した状態を示している。図３は、台座部１１２および突出部１１３を裏面側から見た図である。また、図３は、ヒンジカバー１１５が取り外され、２軸ヒンジ３０１を露出させた状態である。２軸ヒンジ３０１は、ＬＣＤモニタ１０４を第１の回動軸３０３を中心として回動させるとともに、図３の状態では第２の回動軸３０４を中心としてＬＣＤモニタ１０４を回動させることができる。第２の回動軸３０４はＬＣＤモニタ１０４の短辺方向の中心線と平行にオフセットした位置に設定されている。また、図１および図２に示す収納状態、図３に示す状態において、ＬＣＤモニタ１０４の短辺方向の中心線と第１の回動軸３０３とが直交する位置関係となる。したがって、第１の回動軸３０３と第２の回動軸３０４は交差することなく、ねじれの位置の関係となり、第１の回動軸３０３と第２の回動軸３０４とのなす角度が９０度となる。２軸ヒンジ３０１は、突出部１１３の裏面に対してビスで締結される締結部３０５、締結部３０５に対して回動する第１の回動部３０６、第１の回動部３０６に対して回動する第２の回動部３０７から構成されている。締結部３０５には軸部３０８が形成され、第１の回動部３０６は軸部３０８に挿入される軸受け部が形成される。軸部３０８の中心軸が第１の回動軸３０３となる。第２の回動部３０７には軸部３０９が形成され、第１の回動部３０６は軸部３０９に挿入される軸受け部が形成される。軸部３０９の中心軸が第２の回動軸３０４となる。
【００２１】
すなわち、締結部３０５に対して第１の回動部３０６は第１の回動軸３０３で回動するとともに、第１の回動部３０６に対して第２の回動部３０７は第２の回動軸３０４で回動する。第２の回動部３０７はＬＣＤモニタ１０４のモニタケース４０３に対してビスで締結されている。したがって、２軸ヒンジ３０１の一方端はＬＣＤモニタ１０４に固定され、２軸ヒンジ３０１の他方端は突出部１１３に固定される。
【００２２】
第１の回動部３０６は、図１および図２に示す収納状態から締結部３０５に対して第１の方向である矢印Ｙ方向に約１２５度まで回動する。同様に、第１の回動部３０６は、図１および図２に示す収納状態から第１の方向とは反対方向の第２の方向である矢印Ｙ’方向に約１２５度まで回動するように構成されている。すなわち、第１の回動部３０６は締結部３０５に対して約２４０度の範囲で回動させることができる。図３はＬＣＤモニタ１０４を図１および図２に示す状態から図３の矢印Ｙ方向に約９０度回動させ、台座部１１２からグリップ部２０３とは反対側に引き出した状態である。
【００２３】
第２の回動部３０７は、図３の状態から第１の回動部３０６に対して矢印Ｘ方向に約９０度まで回動するとともに、矢印Ｘ’方向に約１８０度まで回動するように構成されている。すなわち、第２の回動部３０７は第１の回動部３０６に対して約２７０度の範囲で回動させることができる。
【００２４】
図４は、図３と同様に、ＬＣＤモニタ１０４を図１および図２に示す収納状態からグリップ部２０３とは反対側に引き出した状態を示している。このとき、２軸ヒンジ３０１内部では、第１の回動部３０６は締結部３０５に対して図３の矢印Ｙ方向に約９０度回動している。したがって、ビデオカメラ１０１は図４の示すように、ＬＣＤモニタ１０４の表示面４０１が上を向いた状態で台座部１１２から露出する状態となる。この状態では、ローアングル撮影時において、グリップ部２０３とは反対側でＬＣＤモニタ１０４によって被写体確認を行うことができる。なお、図４ではヒンジカバー１１５が取り付けられた状態となっている。
【００２５】
図４の状態から表示面４０１がビデオカメラ１０１の後方に向くように、ＬＣＤモニタ１０４を第２の回動軸３０４を中心として回動させることで、ビデオカメラ１０１は図５に示す状態となる。このとき、２軸ヒンジ３０１内部では、図３に示した状態から第２の回動部３０７が第１の回動部３０６に対して図３の矢印Ｘ’方向に約９０度回動する。また、図５に示す状態からＬＣＤモニタ１０４の表示面４０１を第２の回動軸３０４を中心として、さらに９０度まで下方に向けて回転させることができる。ＬＣＤモニタ１０４をグリップ部２０３とは反対側に引き出した状態では、第２の回動軸３０７を中心にＬＣＤモニタ１０４を回動させることで、ＬＣＤモニタ１０４の表示面４０１は図５に示す状態を経由して、ビデオカメラ１０１の下方を向く状態となる。したがって、ハイアングル撮影であっても、ＬＣＤモニタ１０４で被写体を確認することができる。
【００２６】
また、図４の状態から表示面４０１がビデオカメラ１０１の前方に向くように、ＬＣＤモニタ１０４を第２の回動軸３０４を中心として回動させることで、ビデオカメラ１０１は図６に示す状態となる。このとき、２軸ヒンジ３０１内部では、図３に示した状態から第２の回動部３０７が第１の回動部３０６に対して図３の矢印Ｘ方向に約９０度回動する。
【００２７】
図７はＬＣＤモニタ１０４が図１および図２に示す収納状態となっているビデオカメラ１０１を上面から見た図である。図８は２軸ヒンジ３０１の構造を説明する図である。図８は図７の状態における２軸ヒンジ３０１の状態を示している。図８において、締結部３０５に形成される軸部３０８の外周には回動範囲設定部材である回転ストッパー３１３が嵌合している。回転ストッパー３１３には、ストッパー端３１３ａ、３１３ｂが形成されている。第１の回動部３０６には、回転ストッパー３１３の外周面を摺動する立壁部３０６ａが形成されている。立壁部３０６ａは端面３０６ａ−１、３０６ａ−２を有する。
【００２８】
図９は、図７の状態からＬＣＤモニタ１０４を第１の回動軸３０３まわりにグリップ部２０３とは反対側に向けて回動させ、第１の回動軸３０３の回動範囲の端位置まで回動させた状態を示している。図１０は図９の状態からＬＣＤモニタ１０４を第２の回動軸３０４まわりに約９０度回動させて、ＬＣＤモニタ１０４の表示面４０１の向きを変化させた状態を示している。図１１は図１０の状態における２軸ヒンジ３０１の状態を示している。図１１において、立壁部３０６ａの端面３０６ａ−１が回転ストッパー３１３のストッパー端３１３ａに当接している。これによって、２軸ヒンジ３０１は第１の回動軸３０３まわりの回動範囲の端位置を設定している。本実施形態では、図８の状態から図１１の状態までの回動角度を約１２５度としている。図９および図１０に示す状態で、ＬＣＤモニタ１０４を第２の回動軸３０４まわりに回動させて、ＬＣＤモニタ１０４の表示面４０１の向きをいかなる向きに変化させたとしても、ＬＣＤモニタ１０４がレンズ部１０３に入射する光束を遮ることがない。
【００２９】
すなわち、第１の回動軸３０３の回動範囲は、ＬＣＤモニタ１０４を第２の回動軸３０４まわりに回動させて、いかなる向きにしたとしても、ＬＣＤモニタ１０４がレンズ部１０３に入射する光束を遮らない範囲に設定される。
【００３０】
図１２は、図７の状態からＬＣＤモニタ１０４を第１の回動軸３０３まわりにグリップ部２０３側に回動させ、第１の回動軸３０３の回動範囲の端位置まで回動させた状態を示している。図１３は図１２の状態からＬＣＤモニタ１０４を第２の回動軸３０４まわりに約９０度回動させて、ＬＣＤモニタ１０４の表示面４０１の向きを変化させた状態を示している。図１４は図１３の状態における２軸ヒンジ３０１の状態を示している。図１４において、立壁部３０６ａの端面３０６ａ−２が回転ストッパー３１３のストッパー端３１３ｂに当接している。これによって、２軸ヒンジ３０１は第１の回動軸３０３まわりの回動範囲の端位置を設定している。本実施形態では、図８の状態から図１４の状態までの回動角度を約１２５度としている。図１２および図１３に示す状態で、ＬＣＤモニタ１０４を第２の回動軸３０４まわりに回動させて、ＬＣＤモニタ１０４の表示面４０１の向きをいかなる向きに変化させたとしても、ＬＣＤモニタ１０４がレンズ部１０３に入射する光束を遮ることがない。
【００３１】
本実施形態では、図８の状態から図１１の状態までの回動角度と、図８の状態から図１４の状態までの回動角度をともに約１２５度としている。
【００３２】
ＬＣＤモニタ１０４が図７に示される収納状態にあるとき、第２の回動軸３０４はＬＣＤモニタ１０４の短辺方向の中心線からグリップ部２０３側にオフセットされた位置となっている。つまり、図７の状態からＬＣＤモニタ１０４を第１の回動軸３０３まわりに同じ角度だけ回動させると、第２の回動軸３０４の位置はグリップ部２０３側に回動させた場合の方がレンズ部１０３に近い位置となる。
【００３３】
図７の状態からＬＣＤモニタ１０４を第１の回動軸３０３まわりにグリップ部２０３側に回動させて、表示面４０１の向きをいかなる向きにしても、ＬＣＤモニタ１０４がレンズ部１０３に入射する光束を遮ることがない限界位置が図１２および図１３の状態である。したがって、本実施形態では、この位置をＬＣＤモニタ１０４の第１の回動軸３０３における回動範囲の一方端位置として設定している。そして、図７の状態から、ＬＣＤモニタ１０４の第１の回動軸３０３における回動範囲の一方端位置までの回動角度と同じ回動角度となるように、ＬＣＤモニタ１０４の第１の回動軸３０３における回動範囲の他方端位置を設定している。
【００３４】
したがって、図９および図１０の状態は、図７の状態からＬＣＤモニタ１０４を第１の回動軸３０３まわりにグリップ部２０３とは反対側に回動させた場合の限界位置よりも僅かに手前となる。
【００３５】
本実施形態では、２軸ヒンジ３０１の第１の回動軸３０３まわりの回動範囲を上述したように設定することで、取手部の先端に２軸ヒンジ３０１を配置したとしても、ＬＣＤモニタ１０４がレンズ部１０３の画角内に入り込むことがない。
【符号の説明】
【００３６】
１０１  ビデオカメラ
１０２  カメラ本体部
１０３  レンズ部
１０４  ＬＣＤモニタ
２０３  グリップ部
３０１  ２軸ヒンジ
３０３  第１の回動軸
３０４  第２の回動軸
３０５  締結部
３０６  第１の回動部
３０６ａ  立壁部
３０７  第２の回動部
３１３  回転ストッパー
【図１】
0005404327.tif 000002
【図２】
0005404327.tif 000003
【図３】
0005404327.tif 000004
【図４】
0005404327.tif 000005
【図５】
0005404327.tif 000006
【図６】
0005404327.tif 000007
【図７】
0005404327.tif 000008
【図８】
0005404327.tif 000009
【図９】
0005404327.tif 000010
【図１０】
0005404327.tif 000011
【図１１】
0005404327.tif 000012
【図１２】
0005404327.tif 000013
【図１３】
0005404327.tif 000014
【図１４】
0005404327.tif 000015